【手続補正書】
【提出日】平成19年10月11日(2007.10.11)
【手続補正１】
【補正対象書類名】明細書
【補正対象項目名】特許請求の範囲
【補正方法】変更
【補正の内容】
【特許請求の範囲】
【請求項１】
ポリマー及び／またはプレポリマーと、多官能性架橋剤と、無機系微粒子とを含み、高エネルギー線照射により処理されてなることを特徴とする樹脂組成物。
【請求項２】
ゲル分率が、６０％以上であることを特徴とする請求項１記載の樹脂組成物。
【請求項３】
ポリマー及び／またはプレポリマーがポリ乳酸であることを特徴とする請求項１または２記載の樹脂組成物。
【請求項４】
３０−１２０℃までの平均熱膨張係数が高々５×１０−４であることを特徴とする請求項１〜３のいずれか１項記載の樹脂組成物。
【請求項５】
樹脂組成物を１３０℃で３０分間加熱した時の樹脂組成物の５５０ｎｍの光透過率が０．２ｍｍ厚み換算で少なくとも７０％であることを特徴とする請求項１〜４のいずれか１項記載の樹脂組成物。
【請求項６】
請求項１〜５のいずれか１項記載の樹脂組成物を押し出し成型、射出成型、トランスファー成型、シートモルド成型、粉末成型から選ばれる少なくとも１つの方法により成型することよりなる樹脂成型体。
【請求項７】
粒子状のペレット、押し出しシート、インフレーションフィルム、繊維状物、箱状物、筒状物、中空粒子状物、発泡成形体、射出成型体の中から選ばれる少なくとも１種である請求項６記載の樹脂成型体。
【請求項８】
成型体が０．２ｍｍ厚さ換算での５５０ｎｍの光の透過率が少なくとも８５％である請求項６または７記載の樹脂成型体。
【請求項９】
成型体を１３０℃空気中で３０分間熱処理した時の成型体の０．２ｍｍ厚さ換算での５５０ｎｍの光透過率が少なくとも６５％である請求項６〜８のいずれか１項記載の樹脂成型体。
【請求項１０】
成型体の３０−１２０℃での熱膨張率が高々５×１０−４であることを特徴とする請求項６〜９のいずれか１項記載の樹脂成型体。
【請求項１１】
ポリマー及び／又はプレポリマーと、多官能性架橋剤と、無機微粒子とを含むポリ乳酸樹脂組成物を溶融成型後、高エネルギー線照射を行うことを特徴とする樹脂成型体の製造方法。
【請求項１２】
ポリ乳酸樹脂組成物を溶融押し出し後に粒子状ペレット化し、該ペレットに高エネルギー線照射を行い、更に押し出し成型、射出成型、トランスファー成型、粉末成型から選ばれる少なくとも１つの方法により成型し、次いで再度高エネルギー線照射することを特徴とする請求項１１記載の樹脂成型体の製造方法。
【請求項１３】
２回目以降に行う高エネルギー線照射の線量が、少なくとも２０ＫＧｙであることを特徴とする請求項１２記載の樹脂成型体の製造方法。
【請求項１４】
高エネルギー線照射後に更に冷間或いは熱間で少なくとも０．１％の変形を与える処理を行うことを特徴とする請求項１１〜１３のいずれか１項記載の樹脂成型体の製造方法。
【手続補正２】
【補正対象書類名】明細書
【補正対象項目名】００１３
【補正方法】変更
【補正の内容】
【００１３】
【課題を解決するための手段】
請求項１記載の樹脂組成物は、ポリマー及び／またはプレポリマーと、多官能性架橋剤と、無機系微粒子とを含み、高エネルギー線照射により処理されてなることを特徴としている。
【手続補正３】
【補正対象書類名】明細書
【補正対象項目名】００１４
【補正方法】変更
【補正の内容】
【００１４】請求項２の樹脂組成物は、ゲル分率が、６０％以上であることを特徴としている。
【手続補正４】
【補正対象書類名】明細書
【補正対象項目名】００１５
【補正方法】変更
【補正の内容】
【００１５】請求項３の樹脂組成物は、ポリマー及び／またはプレポリマーがポリ乳酸であることを特徴としている。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】変更
【補正の内容】
【００２２】請求項４の樹脂組成物は、３０−１２０℃までの平均熱膨張係数が高々５×１０−４であることを特徴としている。
【手続補正１２】
【補正対象書類名】明細書
【補正対象項目名】００２３
【補正方法】変更
【補正の内容】
【００２３】請求項５の樹脂組成物は、樹脂組成物を１３０℃で３０分間加熱した時の樹脂組成物の５５０ｎｍの光透過率が０．２ｍｍ厚み換算で少なくとも７０％であることを特徴としている。請求項６の樹脂成型体は、請求項１〜４のいずれか１項記載の樹脂組成物を押し出し成型、射出成型、トランスファー成型、シートモルド成型、粉末成型から選ばれる少なくとも１つの方法により成型することよりなることを特徴としている。
【手続補正１３】
【補正対象書類名】明細書
【補正対象項目名】００２４
【補正方法】変更
【補正の内容】
【００２４】請求項７記載の樹脂成型体は、粒子状のペレット、押し出しシート、インフレーションフィルム、繊維状物、箱状物、筒状物、中空粒子状物、発泡成形体、射出成型体の中から選ばれる少なくとも１種であることを特徴としている。
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】変更
【補正の内容】
【００３３】請求項８記載の樹脂成型体は、成型体が０．２ｍｍ厚さ換算での５５０ｎｍの光の透過率が少なくとも８５％であることを特徴としている。
【手続補正２３】
【補正対象書類名】明細書
【補正対象項目名】００３４
【補正方法】変更
【補正の内容】
【００３４】請求項９記載の樹脂成型体は、成型体を１３０℃空気中で３０分熱処理した時の成型体の０．２ｍｍ厚さ換算での５５０ｎｍの光透過率が少なくとも６５％であることを特徴としている。
【手続補正２４】
【補正対象書類名】明細書
【補正対象項目名】００３５
【補正方法】変更
【補正の内容】
【００３５】請求項１０記載の樹脂成型体は、成型体の３０−１２０℃での熱膨張率が高々５×１０−４であることを特徴としている。
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】変更
【補正の内容】
【００３７】請求項１１記載の樹脂成型体の製造方法は、ポリマー及び／又はプレポリマーと、多官能性架橋剤と、無機微粒子とを含むポリ乳酸樹脂組成物を溶融成型後、高エネルギー線照射を行うことを特徴としている。
【手続補正２７】
【補正対象書類名】明細書
【補正対象項目名】００３８
【補正方法】削除
【補正の内容】
【手続補正２８】
【補正対象書類名】明細書
【補正対象項目名】００３９
【補正方法】削除
【補正の内容】
【手続補正２９】
【補正対象書類名】明細書
【補正対象項目名】００４０
【補正方法】変更
【補正の内容】
【００４０】請求項１２記載の樹脂成型体の製造方法は、ポリ乳酸樹脂組成物を溶融押し出し後に粒子状ペレット化し、該ペレットに高エネルギー線照射を行い、更に押し出し成型、射出成型、トランスファー成型、粉末成型から選ばれる少なくとも１つの方法により成型し、次いで再度高エネルギー線照射することを特徴としている。
【手続補正３０】
【補正対象書類名】明細書
【補正対象項目名】００４１
【補正方法】変更
【補正の内容】
【００４１】請求項１３記載の樹脂成型体の製造方法は、２回目以降に行う高エネルギー線照射の線量が、少なくとも２０ＫＧｙであることを特徴としている。
【手続補正３１】
【補正対象書類名】明細書
【補正対象項目名】００４２
【補正方法】変更
【補正の内容】
【００４２】請求項１４記載の樹脂成型体の製造方法は、高エネルギー線照射後に更に冷間或いは熱間で少なくとも０．１％の変形を与える処理を行うことを特徴としている。